(57)【要約】【課題】ギフトを提供するサービスにおいて、当該サービスの機会をより有効に活用することを目的とする。【解決手段】対応付け部１２２は、ギフトを貰う権利を有することを示す情報（ギフトコード）毎に独立して、コンテンツを対応付け、Ｗｅｂ管理部１０７は、ギフトを貰う権利を有することを示す情報を提示した提示者（「ギフトを貰う人」）により操作される所定の端末がアクセスしたときに、当該ギフトを譲渡することに関する処理の実行をするためのウェブサイト、又は、当該提示者の端末が上記処理の実行をするためのアプリケーションソフトウェアを管理し、さらに、提示者により提示された上記情報に対応付けられたコンテンツを、ウェブサイト又はアプリケーションソフトウェアで再生する制御の管理をする。【選択図】図３
2018101388.tif 000002
【特許請求の範囲】
【請求項１】
ギフトを貰う権利を有することを示す情報毎に独立して、コンテンツを対応付ける対応付手段と、
ギフトを貰う権利を有することを示す前記情報を提示した提示者により操作される所定の端末がアクセスしたときに、当該ギフトを譲渡することに関する処理の実行をするためのウェブサイト、又は、当該提示者の端末が前記処理の実行をするためのアプリケーションソフトウェアを管理する管理手段と、
を備え、
前記管理手段は、前記提示者により提示された前記情報に対応付けられた前記コンテンツを、前記ウェブサイト又は前記アプリケーションソフトウェアで再生する制御の管理をする、
情報処理装置。
【請求項２】
前記対応付手段は、さらに、ギフトを貰う権利を有することを示す前記情報毎に独立して、選択可能なギフトを対応付ける
請求項１に記載の情報処理装置。
【請求項３】
コンピュータに、
ギフトを貰う権利を有することを示す情報毎に独立して、コンテンツを対応付ける対応付ステップと、
ギフトを貰う権利を有することを示す前記情報を提示した提示者により操作される所定の端末がアクセスしたときに、当該ギフトを譲渡することに関する処理の実行をするためのウェブサイト、又は、当該提示者の端末が前記処理の実行をするためのアプリケーションソフトウェアを管理する管理ステップと、
を含む制御処理を実行させるプログラムであって、
前記管理ステップは、前記提示者により提示された前記情報に対応付けられた前記コンテンツを、前記ウェブサイト又は前記アプリケーションソフトウェアで再生する制御の管理をするステップを含む、
プログラム。
【発明の詳細な説明】
【技術分野】
【０００１】
本発明は、情報処理装置及びプログラムに関する。
【背景技術】
【０００２】
従来より、例えば、お礼として、ギフトを贈るという行為が、一般的に行われている。
この点、ギフトを贈る方法としては、次のような方法があった。
例えば、ギフトを贈る人（あるいは企業）は、ギフトを貰う人の希望するギフトを事前に聞き取り、そのギフトを、商品取扱業者に注文して、商品の配送を依頼して、ギフトを貰う人に贈ることがあった。
また、ギフトを贈る人（あるいは企業）は、ギフトを貰う人の好みの商品等を選んでもらいたいという要望から、ギフトの代わりに多数の商品等が掲載されたカタログを送付するような場合もあった。
つまり、ギフトを貰う人は、送付されたカタログから欲しい商品等を選択して、氏名や住所等の個人情報を記載した葉書を郵送することで、商品等を取り扱う商品取扱業者に注文を行っていた。
そして、商品取扱業者は、その葉書を受け取ることで、選択された商品等とその配送先を特定して、選択された商品等の配送を行うのである。
しかし、このような方法は、ギフトを贈る人（あるいは企業）、ギフトを貰う人及びギフトの取扱業者のいずれにとっても、時間的、手続き的負担が多いものだった。
そこで、カタログを電子カタログ化して、商品等の選択をさせる技術が提供されている（例えば、特許文献１参照）。
【先行技術文献】
【特許文献】
【０００３】
【特許文献１】特開２０１０−１６０７９９号公報
【発明の概要】
【発明が解決しようとする課題】
【０００４】
ところで、特許文献１を含めた従来の技術では、ギフトを貰う人は、ＷＥＢ（Ｗｏｒｌｄ  Ｗｉｄｅ  Ｗｅｂ）上で好きな商品等を選択し、例えば個人情報を入力するだけで、ギフトの提供を受けることができる。一方、ギフトを贈る人（あるいは企業）は、ギフトを貰う人から入力された個人情報に基づいて簡単にギフトを提供することができる。しかし、このような従来の技術では、ギフトの提供の場は、単なるギフトの授受の場として活用されているに過ぎず、ギフトの提供という機会が有効に活用されているとは言えなかった。
【０００５】
本発明は、このような状況に鑑みてなされたものであり、ギフトを提供するサービスにおいて、当該サービスの機会をより有効に活用することを目的とする。
【課題を解決するための手段】
【０００６】
上記目的を達成するため、本発明の一態様の情報処理装置は、
ギフトを貰う権利を有することを示す情報毎に独立して、コンテンツを対応付ける対応付手段と、
ギフトを貰う権利を有することを示す前記情報を提示した提示者により操作される所定の端末がアクセスしたときに、当該ギフトを譲渡することに関する処理の実行をするためのウェブサイト、又は、当該提示者の端末が前記処理の実行をするためのアプリケーションソフトウェアを管理する管理手段と、
を備え、
前記管理手段は、前記提示者により提示された前記情報に対応付けられた前記コンテンツを、前記ウェブサイト又は前記アプリケーションソフトウェアで再生する制御の管理をする。
【０００７】
本発明の一態様の上記情報処理装置に対応するプログラムも、本発明の一態様のプログラムとして提供される。
【発明の効果】
【０００８】
本発明によれば、ギフトを提供するサービスにおいて、当該サービスの機会をより有効に活用することができる。
【図面の簡単な説明】
【０００９】
【図１】本発明の一実施形態に係る情報処理システムの構成例を示す構成図である。
【図２】図１の情報処理システムのうちサーバ１のハードウェア構成例を示すブロック図である。
【図３】図１の贈り手端末２、貰い手端末３、及びサーバ１の機能的構成例を示す機能ブロック図である。
【図４】図３の機能的構成を有するサーバ１が実行する対応付けコンテンツ決定処理の流れの一例を説明するフローチャートである。
【図５】図３の機能的構成を有するサーバ１が実行する商品選択処理の流れの一例を説明するフローチャートである。
【図６】図３の貰い手端末３の表示部１６２で表示されるコンテンツ再生画面の一例を示す模式図である。
【図７】図１の情報処理システムが適用されるサービスにおいて、情報発信に関連する機能の一例を示す図である。
【発明を実施するための形態】
【００１０】
以下、本発明の実施形態について図面を用いて説明する。
【００１１】
図１は、本発明の一実施形態に係る情報処理システムの構成例を示す構成図である。
【００１２】
図１に示す情報処理システムは、サーバ１と、ｍ台（ｍは１以上の任意の整数値）の贈り手端末２−１乃至２−ｍと、ｎ台（ｎは１以上の任意の整数値）の貰い手端末３−１乃至３−ｎと、ｋ台（ｋは１以上の任意の整数値）の商品提供者端末４−１乃至４−ｋとを含むように構成される。
【００１３】
サーバ１は、本サービスの提供者により管理される。本サービスとは、Ｗｅｂやアプリケーションプログラム等を介してギフトを提供するサービスであり、本発明の一実施形態に係る情報処理システムの適用対象となるサービスである。なお、本サービスの詳細については後述する。
【００１４】
贈り手端末２−１乃至２−ｍの夫々は、ｍ人のギフトを贈る人の夫々により使用される。
ギフトとは、ギフトを貰う権利を有する者が、ギフトを貰う人として、その権利を有していることを示す（例えば後述するギフトコードを入力する）ことで、貰う（所有権を有するようになる）ことができる商品等である。なお、商品等とは、商品又は役務を意味する。
ここで、注目すべき点は、本実施形態でいう「ギフトを贈る人」とは、ギフトを貰う人に対して、ギフトとなる商品等を直接贈る人ではなく、ギフトを貰う権利を贈る人である点である。
つまり、ギフトを貰う権利は、本サービスの提供者が原始的に発生させるものであり、本サービスの提供者の顧客等が「ギフトを贈る人」となり、このギフトを貰う権利を譲り受ける（有償と無償とは問わない）。そして、「ギフトを贈る人」が、ギフトを貰う権利を、所望の相手に譲渡するのである。
つまり、ギフトを貰う権利を最終的に有した者が、ギフトを貰う人となり、所望の商品等をギフトとして受け取ることができる。
【００１５】
具体的には、以下のような例が想定される。
例えば、結婚式の主催者（ギフトを贈る人）が、結婚式に出席してもらった参列者（ギフトを貰う人）に対して、引き出物として、ギフトを贈るために本サービスを利用するような場合がある。
即ち、結婚式の主催者は、参列者に対して、所定の条件内で、好きなギフトを貰う権利を贈ることで、当該参列者は、引き出物として好みのギフトを受け取ることができる。
また、例えば、株式会社（ギフトを贈る人）が、自社の株主（ギフトを貰う人）に対して、株主優待として、ギフトを贈るために本サービスを利用するような場合がある。
即ち、株式会社は、自社の株主に対して、株主優待のサービスの一環として、当該株主が所定の条件内で、好きなギフトを貰う権利を贈ることで、当該株主は、株主優待にふさわしい好みのギフトを受け取ることができる。
【００１６】
貰い手端末３−１乃至３−ｎは、ｎ人のギフトを貰う人の夫々により使用される。つまり、ｎ人のギフトを貰う人は、貰い手端末３−１乃至３−ｎの夫々を操作して、自己がギフトを貰う権利を有していることを示すこと（一般的には後述するギフトコードを入力すること）で、所望の商品等をギフトとして貰うことができる。
【００１７】
商品提供者端末４−１乃至４−ｋの夫々は、ｋ人の商品提供者により使用される。
商品提供者とは、本サービスにおいて、ギフトとなり得る商品等を本サービスの提供者に提供するものである。例えば、ギフトとなり得る商品等を製造するメーカー等が商品提供者になる。このような商品提供者は、本サービスの提供者に、所定の商品を提供することで、提供した商品等が、ギフトを貰う人に選択された場合に、ロイヤリティーの支払いを受けたり、商品等の提供によって、知名度の向上等を望むことができる。
ここで、ギフトを贈る人（前述の例における結婚式の主催者）と商品提供者は、必ずしも異なる必要はない。即ち、例えば、ギフトを贈る人が自己の商品等をギフトとなり得る商品等に追加することも出来る。また、商品提供者は、一人である必要はなく、複数人であってもよい。つまり、ギフトとなり得る商品の提供を業務とする人と、ギフトを贈る人とが同時に、商品提供者になることもできる。
【００１８】
なお、以下、贈り手端末２−１乃至２−ｍの夫々を個々に区別する必要がない場合、これらをまとめて「贈り手端末２」と呼ぶ。貰い手端末３−１乃至３−ｎの夫々を個々に区別する必要がない場合、これらをまとめて「貰い手端末３」と呼ぶ。商品提供者端末４−１乃至４−ｋの夫々を個々に区別する必要がない場合、これらをまとめて「商品提供者端末４」と呼ぶ。
また、サーバ１と、贈り手端末２と、貰い手端末３と、商品提供者端末４とは、インターネット等の所定のネットワークＮを介して相互に接続されている。
【００１９】
まず、本サービスの概要について簡単に説明する。
本サービスにおいては、上述したように、ギフトを贈る人が、ギフトを貰う人に対して特定の商品等をギフトとして直接受け渡すのではなく、ギフトを貰う権利を譲渡する。このギフトを貰う権利は、本サービスの提供者が発生させる。
つまり、ギフトを贈る人が、本サービスの提供者からギフトを貰う権利を購入等することで譲り受け、その権利をギフト貰う人に譲渡する。
ここで、このギフトを貰う権利を有していることを示すために、本サービスの提供者は、所定のコード（例えば、アルファベットや数字等の組み合わせであり、以下、「ギフトコード」呼ぶ）を発行する。
つまり、ギフトを贈る人が購入等して、ギフトを貰う人へ贈るものが、この「ギフトコード」である。つまり、ギフトを貰う人は、この「ギフトコード」を本サービスの提供者に示すことで、所望の商品等をギフトとして貰うことができる。
また、以下では、本サービスは、サーバ１により管理されるウェブサイトを介して提供されるものとするが、本サービスは、贈り手端末２や貰い手端末３にインストールされるアプリケーションプログラムを介して提供されるものとしてもよい。
【００２０】
例えば、まず、贈り手端末２は、ギフトを贈る人の操作により、本サービスの提供者（サーバ１）により管理されるウェブサイトのうち、ギフトコースの選択をさせるために提供される所定のウェブサイト（以下、「ギフトコース選択サイト」と呼ぶ）にアクセスする。
これにより、贈り手端末２には、ギフトコース選択サイトの各ページ、例えば本サービスの提供者が設定する複数種類のギフトコースの中から所定種類を選択するためのページが表示される。
ギフトを贈る人は、贈り手端末２を操作して、表示された複数種類のギフトコースの中から任意の種類を選択し、その種類のギフトコースを購入する。
【００２１】
ここで、ギフトコースとは、所定の予算で贈ることができる１以上の商品等によって構成される商品リストである。
つまり、ギフトを貰う人は、このギフトコースに含まれる１以上の商品等の中から、所望のものをギフトとして選択して貰うことができる。
複数種類のギフトコースの夫々の種類は、価格や種別に応じて、選択できる商品等の種類や数量が異なるように設定されている。
【００２２】
また、ここで言う「ギフトコースを購入する」とは、ギフトを貰う権利として、当該ギフトコースに含まれる商品等の中から任意のものを選択してギフトとして貰う権利を購入することを言う。
例えば、男性用の１０,０００円のギフトコースには、時計、電話、ゲームソフト等の男性が一般的に嗜好する商品等のうち、１０，０００円で（商品提供者が）提供可能な商品等が１以上含まれている。したがって、男性用の１０,０００円のギフトコースを購入するとは、時計、電話、ゲームソフト等の男性が一般的に嗜好する商品等のうち、１０，０００円で（商品提供者が）提供可能な商品等の中から任意のものを選択してギフトとして貰う権利を購入することを意味する。
【００２３】
ここで、ギフトを贈る人が、所定種類のギフトコースを購入すると、本サービスの提供者（サーバ１）は、購入したギフトコースの所定種類と紐づけられたギフトコードを発行する。これにより、このギフトコードを入力した人が、当該所定種類のギフトコースに掲載される任意の商品等をギフトとして貰う権利を有していることを、本サービスの提供者（サーバ１）に示すことができる。
つまり、ギフトを贈る人は、この所定種類のギフトコースを購入することで、当該所定種類のギフトコースに掲載される任意の商品等をギフトとして貰う権利を一次的に取得する。そして、ギフトを贈る人は、ギフトを貰う人に、当該ギフトコードを譲渡することで、当該権利を譲渡する。
なお、ギフトコード毎に、選択可能なギフトを異ならせるようにしてもよい。このようにすることで、ギフトを贈る人は、ギフトコードを譲渡する譲受人（ギフトを貰う人）毎に選択可能なギフトを異ならせることが可能となる。
【００２４】
また、ギフトを贈る人は、当該ギフトコードを譲渡することで、当該ギフトコードに対応付けられたコンテンツを、ギフトを貰う人に提示することができる。
なお、本実施形態でいう「コンテンツ」には、ギフトを贈る人（個人や企業）が提供（作製）した動画、静止画、テキストファイル、テキストメッセージ、及び広告等が含まれる。
また、本実施形態でいう「コンテンツ」には、ギフトを贈る人から提供されたコンテンツに限らず、本サービスの提供者や商品提供者から提供されたコンテンツを含めることもできる。すなわち、本実施形態でいう「コンテンツ」は、複数の提供者から提供されたコンテンツであってもよい。
また、以下では、ギフトを贈る人が提供したコンテンツを「オリジナルコンテンツ」と呼び、ギフトを贈る人ではない者（本サービスの提供者や商品提供者）が提供したコンテンツを「その他コンテンツ」と呼ぶことがある。
また、本実施形態でいう「コンテンツの再生」とは、動画の再生や静止画の表示、テキストファイルの提示等の概念を含む。
【００２５】
例えば、ギフトを贈る人は、ギフトを貰う人に対して相手との関係性を踏まえてふさわしいコンテンツ（例えば、結婚式の参列者に対するお礼のメッセージビデオ）を作製し、当該コンテンツを本サービスの提供者（サーバ１）に送信（あるいはアップロード）する。
本サービスの提供者（サーバ１）は、ギフトを貰う人に譲渡されるギフトコードと、当該ギフトコードの購入者（ギフトを贈る人）から送信されたコンテンツの情報とを関連付ける。
ギフトを貰う人は、貰い手端末３を操作して、本サービスの提供者（サーバ１）が管理する所定のウェブサイト（以下、「商品交換サイト」と呼ぶ）において、譲渡されたギフトコードを入力することで、当該権利を有していることを示すことができる。つまり、ギフトを貰う人は、当該ギフトコードに対応付けられた所定種類のギフトコースに掲載された１以上の商品等の中から、所望の商品等をギフトとして貰うことができる。
また、当該ギフトコードが入力されると、商品交換サイトにおいて、当該ギフトコードに関連付けられたコンテンツの情報に基づいたコンテンツが再生される。すなわち、ギフトを貰う人が所望の商品等をギフトとして貰う際に（例えば、商品交換サイトにおける商品交換ページにおいて）、ギフトを贈る人が作製したコンテンツが提示される。
つまり、ギフトを贈る人が特定の商品等自体をギフトとして受け渡すことなく、ギフトを貰う人が所望の商品等をギフトとして貰うことができ、その際にギフトを贈る人からのコンテンツが提示されるのである。
このため、本サービスは、例えば、結婚式の主催者Ａ（ギフトを贈る人）が、結婚式に出席してもらったお礼として、参列者Ｂ（ギフトを貰う人）に対して、引き出物としてギフトを贈るために利用される。
つまり、本サービスを利用することで、主催者Ａは、参列者Ｂに対して自身で作製したコンテンツ（例えば、お礼や近況報告のメッセージビデオ）を提示する（自身の情報を発信する）ことができ、結婚式が終わった後でも参列者との繋がりを深めることができる。
【００２６】
さらに言えば、本サービスを利用することで、主催者Ａは、参列者Ｂに引き出物（ギフト）を贈る機会を利用して、複数の参列者の夫々に対して個別のコンテンツを提示することができる。
具体的には、例えば主催者Ａと特に親しい参列者Ｂ１に対しては、共通の経験等を元にした特別なコンテンツを提示することができるし、例えば主催者Ａとそれほど親しくない参列者Ｂ２に対しては、一般的なお礼のコンテンツ（メッセージ）を提示することができる。
つまり、主催者Ａは、引き出物としてギフトを贈る機会を利用して、自身と関係性や親密度に応じて、各参列者に、よりふさわしいコンテンツを提示することができる。
また、主催者Ａは、結婚式という状況を考慮して、各参列者に提示するコンテンツを変更することもでき、各参列者に、よりふさわしいコンテンツを提示することができるのである。
【００２７】
また、本サービスは、企業Ｃ（ギフトを贈る人；例えば株式会社）が自社の株主Ｄに対して株主優待のサービスの一環として、ギフト（株主優待商品等）を贈るために利用することもできる。本サービスを利用することで、企業Ｃは株主に対して簡単に株主優待商品等を贈ることができるとともに、自社が作製したコンテンツ（例えば、決算報告等の動画や資料等のテキストファイル）を提示することができ、株主優待商品を贈るだけではなく、自社の情報を発信することができる。
以上、本サービスの概要について簡単に説明した。続いて、図１の情報処理システムのうちのサーバ１のハードウェア構成の一例について簡単に説明する。
【００２８】
図２は、図１の情報処理システムのうちサーバ１のハードウェア構成例を示すブロック図である。
サーバ１は、ＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、ＲＡＭ（Ｒａｎｄｏｍ  Ａｃｃｅｓｓ  Ｍｅｍｏｒｙ）２３と、バス２４と、入出力インターフェース２５と、出力部２６と、入力部２７と、記憶部２８と、通信部２９と、ドライブ３０とを備えている。
【００２９】
ＣＰＵ２１は、ＲＯＭ２２に記録されているプログラム、又は、記憶部２８からＲＡＭ２３にロードされたプログラムに従って各種の処理を実行する。
ＲＡＭ２３には、ＣＰＵ２１が各種の処理を実行する上において必要なデータ等も適宜記憶される。
【００３０】
ＣＰＵ２１、ＲＯＭ２２及びＲＡＭ２３は、バス２４を介して相互に接続されている。このバス２４にはまた、入出力インターフェース２５も接続されている。入出力インターフェース２５には、出力部２６、入力部２７、記憶部２８、通信部２９及びドライブ３０が接続されている。
【００３１】
出力部２６は各種液晶ディスプレイ等で構成され、各種情報を出力する。
入力部２７は、各種ハードウェア鉛等で構成され、各種情報を入力する。
記憶部２８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部２９は、インターネットを含むネットワークＮを介して他の装置（図１の例では贈り手端末２、貰い手端末３、商品提供者端末４等）との間で行う通信を制御する。
【００３２】
ドライブ３０は、必要に応じて設けられる。ドライブ３０には磁気ディスク、光ディスク、光磁気ディスク、或いは半導体メモリ等よりなる、リムーバブルメディア４１が適宜装着される。ドライブ３０によってリムーバブルメディア４１から読み出されたプログラムは、必要に応じて記憶部２８にインストールされる。またリムーバブルメディア４１は、記憶部２８に記憶されている各種データも、記憶部２８と同様に記憶することができる。
【００３３】
贈り手端末２、貰い手端末３及び商品提供者端末４の構成は、情報を入力及び表示させるための入力／表示装置（例えばタッチパネル）を有する点を除き、サーバ１の構成と基本的に同様であるので、ここではそれらのハードウェア構成の説明は省略する。
【００３４】
このようなサーバ１、贈り手端末２、貰い手端末３、及び商品提供者端末４の各種ハードウェアと各種ソフトウェアとの協働により、サーバ１の実行する処理のうち、対応付けコンテンツ決定処理や商品選択処理の実行が可能になる。
なお、対応付けコンテンツ決定処理とは、ギフトを贈る人が用意したコンテンツとギフトを贈る人が購入したギフトのギフトコードとを対応付けるための一連の処理であり、商品選択処理とは、ギフトを貰う人が、ギフトを贈る人から譲渡されたギフトを貰う権利を用いて、好みのギフト（商品）を選択するための一連の処理である。
即ち、サーバ１、贈り手端末２、及び貰い手端末３は、対応付けコンテンツ決定処理及び商品選択処理を実行するにあたり、図３に示すような機能的構成を有する。
【００３５】
図３は、図１の贈り手端末２、貰い手端末３、及びサーバ１の実行する対応付けコンテンツ決定処理及び商品選択処理に必要な機能的構成例を示す機能ブロック図である。
【００３６】
まず、贈り手端末２の機能的構成について説明する。贈り手端末２のＣＰＵ２１においては、申込受付部６１と、申込送信制御部６２と、コンテンツ受付部６３と、コンテンツ送信制御部６４とが機能する。
【００３７】
申込受付部６１は、ギフトを贈る人の操作に基づいて、ギフトコース購入の申込を受け付ける。すなわち、申込受付部６１は、ギフトを贈る人のギフトコースを所定数購入したいという購入の申込を受け付ける。
なお、ギフトを贈る人が、リピーターである場合には、簡単な操作に基づいて再度ギフトコース購入の申込を行うことができるようにしてもよい。一例としては、ギフトを贈る人が、ギフトコース選択サイトを介して、サーバ１に（１）会員登録をしておく、（２）クレジットカードを登録しておく、（３）過去に贈ったギフト情報を登録しておく等により、簡単操作でギフトを贈ることができるようにしてもよい。
【００３８】
申込送信制御部６２は、申込受付部６１により受け付けられた申込に関する情報を、通信部４２を介してサーバ１へと送信するための制御を実行する。
なお、詳細は後述するが、購入申込に関する情報がサーバ１へ送信されると、サーバ１では、これに基づきギフトコードが発行される。そして、サーバ１で発行されたギフトコードは、サーバ１の通信部２９を介して贈り手端末２へと送信される。すなわち、ギフトを贈る人は、このギフトコードを取得することで、本サービスの提供者からギフトを貰う権利を取得する。そして、ギフトを贈る人は、このギフトコードを、ギフトを貰う人に譲渡する（贈る）ことで、この権利を譲渡することができる。
【００３９】
コンテンツ受付部６３は、ギフトを贈る人による操作に基づいて作製されたオリジナルコンテンツを受け付ける。
なお、オリジナルコンテンツは、ギフトを贈る人の任意のツールを用いて作製されたものであってもよいし、サーバ１により管理される所定のウェブサイト（例えば、コンテンツ作製を支援するサイト）を介して作製されてもよいし、サーバ１から贈り手端末２上にダウンロード可能なコンテンツ作製フォームを用いて作製されてもよいし、贈り手端末２にインストールされる所定のアプリケーションプログラムを用いて作製されてもよい。
また、コンテンツ受付部６３は、ギフトを贈る人による操作に基づいて、当該オリジナルコンテンツを対応付けるギフトコードの情報も受け付ける。これにより、オリジナルコンテンツを提示する対象者（ギフトを貰う人）として、所定のギフトコード（対応付けられたギフトコード）を譲渡した特定の対象者（つまり、任意の範囲）を設定することができる。
なお、他の実施形態においては、コンテンツ受付部６３は、オリジナルコンテンツを対応付けるギフトコードの情報を受け付けず、ギフトを贈る人（ギフトコードの購入者）の情報のみを受け付けるものとしてもよい。このようにした場合には、オリジナルコンテンツを提示する対象者（ギフトを貰う人）として、ギフトコードにかかわらず、ギフトコードを譲渡した全ての対象者（つまり、全範囲）を設定することができる。
【００４０】
コンテンツ送信制御部６４は、コンテンツ受付部６３により受け付けられたオリジナルコンテンツに関する情報（コンテンツの情報及び対応するギフトコードの情報）を、通信部４２を介してサーバ１へと送信するための制御を実行する。
【００４１】
次に、サーバ１の機能的構成について説明する。サーバ１のＣＰＵ２１においては、申込取得部１０１と、コード管理部１０２と、コンテンツ取得部１０３と、コンテンツ管理部１０４と、コード取得部１０５と、商品選択取得部１０６と、Ｗｅｂ管理部１０７とが機能する。また、Ｗｅｂ管理部１０７には、コンテンツ再生部１２１と、対応付け部１２２とが含まれる。
【００４２】
申込取得部１０１は、贈り手端末２から送信されてきたギフトコース購入の申込に関する情報を取得し、当該情報をコード管理部１０２に通知する。
【００４３】
コード管理部１０２は、贈り手端末２から送信されてきた申込に関する情報に基づいてギフトコードを発行して、当該ギフトコードをＷｅｂ管理部１０７に通知する。なお、この際、コード管理部１０２は、当該ギフトコードを贈り手端末２にも通知する。
【００４４】
コンテンツ取得部１０３は、贈り手端末２から送信されてきたオリジナルコンテンツに関する情報（コンテンツの情報及び対応するギフトコードの情報）を取得し、当該情報をコンテンツ管理部１０４に通知する。
【００４５】
コンテンツ管理部１０４は、各種コンテンツに関する情報を管理する。具体的には、コンテンツ管理部１０４は、贈り手端末２から送信されてきたオリジナルコンテンツに関する情報の他に、本サービスの提供者や商品提供者により作製されたコンテンツ（例えば広告等の「その他コンテンツ」）の情報も管理する。また、コンテンツ管理部１０４は、管理している各種コンテンツに関する情報をＷｅｂ管理部１０７に通知する。
【００４６】
コード取得部１０５は、後述する貰い手端末３のコード受付部２０１により受付された（入力された）ギフトコードを取得し、Ｗｅｂ管理部１０７に通知する。
【００４７】
商品選択取得部１０６は、後述する貰い手端末３の商品選択受付部２０３により受付された（入力された）商品選択に関する情報を取得し、当該情報をＷｅｂ管理部１０７に通知する。
【００４８】
Ｗｅｂ管理部１０７は、ギフトを貰う人がギフトコードを入力してギフトを貰う際に利用する商品交換サイトにおける専用のウェブページ（以下、「商品交換ページ」と呼ぶことがある）を作製、管理する。
Ｗｅｂ管理部１０７は、コード管理部１０２から通知されたギフトコードに基づいて、当該ギフトコードに対応した商品交換ページを作成、管理する。
【００４９】
また、Ｗｅｂ管理部１０７は、ギフトを貰う権利を有することを示すギフトコードを提示した提示者により操作される所定の端末がアクセスしたときに、当該ギフトを譲渡することに関する処理の実行をするためのウェブサイト、又は、当該提示者の端末が前記処理の実行をするためのアプリケーションソフトウェアを管理する。
即ち、Ｗｅｂ管理部１０７は、商品交換ページを作製する際に、コード管理部１０２から通知されたギフトコードに対応したオリジナルコンテンツの情報がコンテンツ管理部１０４から通知されている場合には、商品交換ページ（つまりはギフトコード）に、当該オリジナルコンテンツの情報を対応付ける。なお、以下では、コンテンツの情報が対応付けられることで、コンテンツの再生が可能な商品交換ページのことを、「コンテンツ付き商品交換ページ」と呼ぶことがある
また、以下では、コンテンツ付き商品交換ページにおいて、コンテンツが再生される商品交換ページをコンテンツ再生ページ（またはコンテンツ再生画面）と呼び、商品交換のために商品が選択される商品交換ページのことを商品選択ページ（または商品選択画面）と呼ぶことがある。また、本実施形態では、コンテンツ再生ページと、商品選択ページとは、コンテンツ付き商品交換ページにおいて別ページで構成されるものとするが、同一ページで構成されるものとしてもよい。
【００５０】
具体的には、Ｗｅｂ管理部１０７の対応付け部１２２は、ギフトを貰う権利を有することを示すギフトコード毎に独立して、コンテンツを対応付ける。
即ち、対応付け部１２２は、コンテンツ管理部１０４から通知されるオリジナルコンテンツに関する情報の中に、コード管理部１０２から通知されるギフトコードに対応するものがある場合に、ギフトコードに対応した商品交換ページに、オリジナルコンテンツの情報を対応付ける。
また、対応付け部１２２は、ギフトコードに対応した商品交換ページに、その他コンテンツの情報を対応付けることもできる。この際には、例えば商品提供者が作製したコンテンツは、提供される商品の種類に応じて予めギフトコードに対応付けられているものとし、対応付け部１２２は、ギフトコードに対応した商品交換ページに、当該ギフトコードに対応したその他コンテンツの情報を対応付けるものとすればよい。このようにすることで、所定のギフトを貰う際に利用される商品交換サイトにおいて専用のウェブページが表示されるときに、当該ギフトに関連したコンテンツ（例えば広告）を提示することができる。一方、対応付け部１２２は、本サービスの提供者が作製したコンテンツ（例えば広告）については、ギフトコードにかかわらず全ての商品交換ページに対応付けるものとしてもよい。本サービスの提供者によるサービスは、ギフトの種類によらずに提供されるからである。
なお、コンテンツ管理部１０４から通知されるオリジナルコンテンツに関する情報の中に、コード管理部１０２から通知されるギフトコードに対応するものがない場合には、対応付け部１２２は、ギフトコードに対応した商品交換ページに、その他コンテンツの情報を対応付けることもできるし、何らコンテンツの情報を対応付けないこともできる。
【００５１】
また、Ｗｅｂ管理部１０７は、コード取得部１０５から通知された（つまり、貰い手端末３から通知された）ギフトコードに基づいて、当該ギフトコードが有効である場合に、当該ギフトコードに対応した商品交換ページを、貰い手端末３に提示する。
なお、「ギフトコードが有効である」とは、ギフトを贈る人の設定、あるいは本サービスの提供者の設定によってギフトコードが有効化されている状態を示し、ギフトを貰う人は、この状態のギフトコードを入力することでギフトを貰うことができる。一方、ギフトコードが有効ではない（無効である）場合には、ギフトを貰う人は、この状態のギフトコードを入力しても商品選択画面等は提示されずギフトを貰うことができない。これにより、例えば、本サービスの提供者が、ギフトコードが有効である期間として一定の有効期間を設けることで、ギフトを貰う人に対して、この有効期間内のギフトコードの入力を促すことができる。
【００５２】
Ｗｅｂ管理部１０７のコンテンツ再生部１２１は、提示者により提示されたギフトコードに対応付けられたコンテンツを、ウェブサイト又はアプリケーションソフトウェアで再生する制御の管理をする。
即ち、コンテンツ再生部１２１は、貰い手端末３に提示した商品交換ページにコンテンツが対応付けられていると（すなわち、コンテンツ付き商品交換ページであると）、当該商品交換ページに貰い手端末３がアクセスするときに、対応付けられたコンテンツを再生する。
これにより、貰い手端末３の表示部１６２に、ギフトを贈る人が作製したオリジナルコンテンツ等が再生されることになる。
【００５３】
また、Ｗｅｂ管理部１０７は、通知された商品選択に関する情報に基づいて、選択された商品（ギフト）を、ギフトを貰う人（ギフトコードを提示した者）に配送するために必要な各種処理の実行を管理する。
【００５４】
次に、貰い手端末３の機能的構成について説明する。貰い手端末３のＣＰＵ１６３においては、コード受付部２０１と、コード送信制御部２０２と、商品選択受付部２０３と、商品選択送信制御部２０４と、商品等情報取得部２０５と、Ｗｅｂ取得部２０６と、表示制御部２０７とが機能する。
【００５５】
コード受付部２０１は、入力部１６１（典型的にはタッチパネル）を介して、ギフトを貰う人からのギフトコードの入力を受け付ける。そして、コード送信制御部２０２は、コード受付部２０１で受け付けられたギフトコードを、通信部１６４を介して、サーバ１に送信するための制御を実行する。このようにしてサーバ１へと送信されたギフトコードは、サーバ１のＷｅｂ管理部１０７に通知されることにより、サーバ１から、ギフトを選択するための商品交換ページ等のデータが貰い手端末３に通知される。
【００５６】
貰い手端末３の商品等情報取得部２０５は、サーバ１から送信されてきた、ギフトコードに対応する商品交換ページ等のデータを取得する。
【００５７】
貰い手端末３のＷｅｂ取得部２０６は、サーバ１から送信されてきた、ギフトコードに対応する商品交換ページに対応付けられるコンテンツのデータを取得する。
【００５８】
表示制御部２０７は、商品等情報取得部２０５及びＷｅｂ取得部２０６で取得されたデータに基づいて、コンテンツの再生を含む商品交換ページ（コンテンツ付き商品交換ページ）を表示部２８４（典型的には液晶ディスプレイ）に表示するための制御を実行する。
【００５９】
商品選択受付部２０３は、表示部２８４に商品交換ページ（商品選択画面）が表示されているときに、ギフトを貰う人の商品選択を受け付ける。具体的には、商品選択受付部２０３は、ギフトコースに含まれる１以上の商品等のうち、ギフトコードを入力したギフトを貰う人による商品等の選択を受け付ける。そして、商品選択送信制御部２０４は、商品選択受付部２０３に受け付けられた商品選択に関する各種情報を通信部１６４を介してサーバ１へと送信するための制御を実行する。
【００６０】
次に、図４を参照して、図３のサーバ１により実行される対応付けコンテンツ決定処理について説明する。
図４は、図３の機能的構成を有するサーバ１が実行する、対応付けコンテンツ決定処理の流れを説明するフローチャートである。
なお、前述の通り、対応付けコンテンツ決定処理とは、ギフトを贈る人が用意したコンテンツとギフトを贈る人が購入したギフトのギフトコードとを対応付けるための一連の処理である。
【００６１】
ステップＳ１において、申込取得部１０１は、贈り手端末２から送信されてきたギフトコース購入の申込に関する情報を取得する。
【００６２】
ステップＳ２において、コード管理部１０２は、ステップＳ１で取得した申込に関する情報に基づいてギフトコードを発行する（取得する）。
【００６３】
ステップＳ３において、コンテンツ取得部１０３は、贈り手端末２から送信されてきたコンテンツ（オリジナルコンテンツ）に関する情報（コンテンツの情報及び対応するギフトコードの情報）を取得する。
【００６４】
ステップＳ４において、対応付け部１２２は、ステップＳ２で取得されたギフトコードとステップＳ３で取得されたコンテンツの情報とを対応付ける。具体的には、対応付け部１２２は、ギフトコードに対応した商品交換ページに、当該ギフトコードに対応するコンテンツの情報を対応付ける。これにより、コンテンツの情報が対応付けられた商品交換ページがアクセスされると、対応するコンテンツが再生されることになる。
【００６５】
ステップＳ５において、サーバ１のＣＰＵ２１は、処理の終了指示があったか否かを判定する。ここで、処理の終了指示は、特に限定されないが、本実施形態ではサーバ１のいわゆるスリープ状態等への移行指示が採用されている。つまり、サーバ１においてスリープ状態等への移行指示がなされない限り、ステップＳ５においてＮＯであると判定されて処理はステップＳ１に戻され、それ以降の処理が繰り返される。
これに対して、サーバ１においてスリープ状態等への移行指示がなされると、ステップＳ５においてＹＥＳであると判定されて、対応付けコンテンツ決定処理は終了になる。
【００６６】
なお、前述したように、ステップＳ４では、ギフトコードとコンテンツとが対応付けられることにより、コンテンツ（オリジナルコンテンツ）を提示する対象者（ギフトを貰う人）として、所定のギフトコード（対応付けられたギフトコード）を譲渡した特定の対象者を設定することができる。すなわち、任意の範囲（複数のギフトコード）に対して、同一のコンテンツを対応付けることで、任意の対象者に同一のコンテンツを提示することができる。また、複数のギフトコードに対して、それぞれ異なるコンテンツを対応付けることもできる。すなわち、ギフトコードの譲受人（ギフトを貰う人）に応じて、提示するコンテンツを異ならせることもできる。
また、ステップＳ４では、ギフトコードの購入者（ギフトを贈る人）の情報と、当該購入者が作製したコンテンツとが対応付けられるものとしてもよい。このようにすると、コンテンツ（オリジナルコンテンツ）を提示する対象者（ギフトを貰う人）として、ギフトコードを譲渡した全ての対象者（つまり、全範囲）を設定することができる。
【００６７】
次に、図５を参照して、図３のサーバ１により実行される商品選択処理について説明する。
図５は、図３の機能的構成を有するサーバ１が実行する、商品選択処理の流れを説明するフローチャートである。
なお、前述の通り、商品選択処理とは、ギフトを貰う人が、ギフトを贈る人から譲渡されたギフトを貰う権利を用いて、好みのギフト（商品）を選択するための一連の処理である。
【００６８】
ステップＳ２１において、コード取得部１０５は、貰い手端末３から送信されてきたギフトコードを取得する。
【００６９】
ステップＳ２２において、Ｗｅｂ管理部１０７は、取得したギフトコードが有効であるか否かを判定する。
上記ギフトコードが無効であれば、ステップＳ２２において、ＮＯであると判定されて、処理はステップＳ２１に戻され、それ以降の処理が繰り返される。
これに対して、上記ギフトコードが有効であれば、ステップＳ２２でＹＥＳであると判定されて、処理はステップＳ２３に進む。
【００７０】
ステップＳ２３において、Ｗｅｂ管理部１０７は、ステップＳ２１で取得されたギフトコードに対応するＷｅｂページ（商品交換ページ）を提示する。具体的には、Ｗｅｂ管理部１０７は、商品交換ページがコンテンツに対応付けられたものである場合、商品交換ページのうちコンテンツ再生画面を提示する。ここで、貰い手端末３に提示（送信）された当該Ｗｅｂページ等のデータが貰い手端末３で取得されることにより、貰い手端末３の表示部２８４には、上述のコンテンツ再生画面が表示される。
【００７１】
ステップＳ２４において、Ｗｅｂ管理部１０７（より具体的にはコンテンツ再生部１２１）は、ステップＳ２３で提示されたコンテンツ再生画面において、対応付けられたコンテンツの再生を開始する。これにより、貰い手端末３の表示部２８４に表示されたコンテンツ再生画面においてコンテンツが再生される。
【００７２】
ステップＳ２５において、Ｗｅｂ管理部１０７は、商品交換ページのうち商品選択画面を含むＷｅｂページ等のデータを抽出し、それを貰い手端末３に送信する。ここで、貰い手端末３に送信された当該Ｗｅｂページ等のデータが貰い手端末３で取得されることにより、貰い手端末３の表示部２８４には、上述の商品選択画面が表示される。
【００７３】
上記した、ステップＳ２３〜Ｓ２５の処理により、ギフトを貰う人は、商品交換ページのうちコンテンツ再生画面において、ギフトを贈る人から提示されるコンテンツを確認することができ、その後、商品交換ページのうち商品選択画面において、好みの商品を選択することができる。そして、貰い手端末３は、このギフトを貰う人の商品選択情報をサーバ１に送信する。
なお、商品交換ページにおいて、コンテンツ再生画面と商品選択画面の表示される順序は逆でもよいし、両者が同一の画面で表示されるものとしてもよい。
また、コンテンツ再生画面において、あるいは、商品交換ページのいずれかのページにおいて、ギフトを貰う人からギフトを贈る人に所定のメッセージを送ることができるものとしてもよい。このようにすることで、ギフトを贈る人は、自身が提示したコンテンツに対する反応を知ることができる。
【００７４】
ステップＳ２６において、商品選択取得部１０６は、このようにして貰い手端末３から送信されてきた商品選択情報を取得する。
即ち、貰い手端末３は、ギフトを貰う人が選択した商品等の情報を送信する。
そして、商品選択取得部１０６は、通信部２９を介して、ギフトを貰う人が選択した商品等の情報、つまり商品選択情報を取得する。
【００７５】
ステップＳ２７において、Ｗｅｂ管理部１０７は、ステップＳ２６で取得した上記商品選択情報をもとに、配送する会社や配送先、時間指定等の配送条件に関する情報（以下、「配送情報」と呼ぶ）を生成する。
即ち、Ｗｅｂ管理部１０７は、上記商品選択情報に含まれるギフトを貰う人の住所等の受け取り先の情報をもとに、配送情報を生成する。
【００７６】
ステップＳ２８において、サーバ１のＣＰＵ２１は、処理の終了指示があったか否かを判定する。ここで、処理の終了指示は、特に限定されないが、本実施形態ではサーバ１のいわゆるスリープ状態等への移行指示が採用されている。つまり、サーバ１においてスリープ状態等への移行指示がなされない限り、ステップＳ２８においてＮＯであると判定されて処理はステップＳ２１に戻され、それ以降の処理が繰り返される。
これに対して、サーバ１においてスリープ状態等への移行指示がなされると、ステップＳ２８においてＹＥＳであると判定されて、商品選択処理は終了になる。
【００７７】
ここで、上述のギフトを贈る人が結婚式の主催者Ａであり、ギフトを貰う人が当該結婚式の参列者Ｂである例、すなわち、主催者Ａが結婚式に出席してもらったお礼として、参列者Ｂ対して、引き出物としてギフトを贈るために本サービスを利用する例について説明する。
【００７８】
主催者Ａは、本サービスの提供者からギフトを贈る権利を所定数（例えば１０単位で）購入し、主催者Ａの結婚式に参加した参列者Ｂに対して、引き出物として、本サービスの提供者から購入したギフトを贈る権利（ギフトコード）を譲渡する。参列者Ｂは、主催者Ａから譲渡されたギフトコードを本サービスの提供者の管理する商品交換サイト上で入力することにより、希望する商品を選択することができる。具体的には、商品交換サイト上でギフトコードが入力されると、当該ギフトコードに対応した商品交換ページが表示される。そして、当該ギフトコードに対応したコンテンツの情報が対応付けられていることにより、商品交換ページとしてコンテンツ再生画面が表示される。そして、このコンテンツ再生画面において主催者Ａが作製したコンテンツが再生される。以下に、図６を参照して、主催者Ａのコンテンツが再生されるコンテンツ再生画面の一例について説明する。
【００７９】
図６は、参列者Ｂの貰い手端末３の表示部１６２に表示される商品交換画面の一例である。
図６に示すように、貰い手端末３の表示部１６２に表示されるコンテンツ再生画面では、各種コンテンツが表示される。
具体的には、コンテンツ再生画面の上部では、主催者Ａが作製したコンテンツが再生され、例えば、主催者Ａのオリジナルコンテンツである、お礼や近況報告のビデオレター（動画）が再生され、あるいは、結婚式の写真等が表示される。
一方、コンテンツ再生画面の下部には、本サービスの提供者や商品提供者等によるその他コンテンツである広告情報（バナー画像や宣伝画像）が表示される。
このように、本サービスを利用することで、参列者Ｂが入力するギフトコードに対応した商品交換ページにおいて、ギフトコードに対応して主催者Ａが作製したコンテンツが再生されるので、ギフトコード毎にオリジナルの商品交換ページを作製することができる。
なお、オリジナルの商品交換ページを作製するにあたり、ギフトを贈る人は、種々のカスタイマイズが可能であり、例えば商品交換ページのバナー画像等をオリジナルの画像に差し替えることができるものとしてもよい。
また、参列者が多数であって、それぞれに異なるギフトコードが譲渡される場合であっても、複数のギフトコードを同一のコンテンツに対応付けることで、任意の複数の参列者に対して同一のコンテンツを提示することもできる。
以上のように、本サービスが利用されることで、ギフトの提供という機会を利用して、主催者Ａは、単にギフトを贈るだけではなく、参列者Ｂに対して自身の情報発信を行うことができる。
なお、上記では、商品交換ページは、複数のページで構成され、コンテンツ再生画面と商品選択画面は別ページで表示されるものとしているが、１つのページ内において、コンテンツ再生画面と商品選択画面とが同時に表示されるものとしてもよい。
また、上記では、結婚式の主催者Ａが参列者Ｂにギフトを贈る例について示したが、例えば様々な催し物にも適用することができる。例えば、ゴルフのコンペの主催者が参列者に対して参加賞の景品を贈る際に利用されてもよい。
【００８０】
次に、上述のギフトを贈る人が企業Ｃ（例えば、株式会社）であり、ギフトを貰う人が当該企業Ｃの株主Ｄである例、すなわち、企業Ｃが自社の株主Ｄに対して、株主優待サービスの一環として、株主Ｄに対してギフト（株主優待商品等）を贈るために本サービスを利用する例について説明する。
【００８１】
企業Ｃは、本サービスの提供者からギフトを贈る権利を所定数（例えば１０００単位で）購入し、自社の株主Ｄに対して、株主優待サービスの一環として、本サービスの提供者から購入したギフトを贈る権利（ギフトコード）を譲渡する。株主Ｄは、企業Ｃから譲渡されたギフトコードを本サービスの提供者の管理する商品交換サイト上で入力することにより、希望する商品を選択することができる。そして、この際に当該ギフトコードに対応したコンテンツの情報が対応付けられていることにより、当該ギフトコードに対応した商品交換ページとしてコンテンツ再生画面が表示される。
【００８２】
ここで、株主Ｄに表示される（提示される）コンテンツ再生画面では、より経営に直結する内容のコンテンツを再生することができる。具体的には、コンテンツを提示する対象者は株主Ｄに限定されるため、例えば経営に関わるクローズドなコンテンツ（例えば、業績情報等）を提示することができる。
なお、株主Ｄの保有する株数に応じてコンテンツの内容を変えるものとしてもよい。具体的には、保有する株数が多い株主Ｄほど、経営に関わるクリティカルな内容のコンテンツが提示されるものとしてもよい。
このように本サービスが利用されることで、ギフトの提供という機会を利用して、企業Ｃは、株主Ｄに対して情報発信を行うことができる。
なお、ギフトを贈る人が企業Ｃ（例えば、株式会社）の場合には、上記した株主Ｄに向けたクローズドなコンテンツの他に、自社の広告を設置することもできる。例えば、図６を参照して前述したコンテンツ再生画面の下部において、企業Ｃのオリジナルのバナー画像やリンクを設定することもできる。
【００８３】
次に、図７を用いて、本サービスのうち特に情報発信に関連する機能について簡単に説明する。
図７は、図１の情報処理システムが適用される本サービスにおいて、情報発信に関連する機能の一例を示す表である。
【００８４】
図７の例の表には、「対象者」、「機能」、「特徴」に関する情報が格納されている。即ち、夫々の対象者毎に、情報発信に関連する機能や特徴についての情報が格納されている。
例えば、「対象者」の項目の１行目には、「贈呈側」（つまり、ギフトを贈る人）と表示されている。つまり当該一行に対応する、対象者が「贈呈側」（例えば、本サービスを利用する企業や、贈呈者、商品提供者）であることを示している。
これに対して、「機能」の項目の１行目には「動画・画像配信」、及び「広告を設置」と表示されている。つまり、贈呈側は、情報発信に関連して動画・画像配信の機能及び広告を設置する機能を利用することができることを示している。
また、「動画・画像配信」の機能は、複数の「特徴」を有し、贈呈側が動画・画像配信の機能を利用することで、以下の特徴が発揮される。
すなわち、贈呈側は、画像の設定、動画の設定を任意で行うことができる。
また、贈呈側は、一度ギフトを贈った相手に簡単操作で再度ギフトを贈ることができる。この際には、（１）会員登録機能、（２）クレジットカード登録機能、（３）過去に贈ったギフトを再度贈る機能等が利用される。
また、贈呈側は、本サービスを利用する利用企業及び商品提供企業のＰＲ情報（広告情報）を表示したり、受取手（受贈側）に個別のメッセージを配信することによって、よりユニークな商品交換ページ（コンテンツ再生画面）を演出することができる。
また、贈呈側は、受け取りページ（商品交換ページ）での動画、バナー画像をオリジナルに差し替えることができる。
また、贈呈側は、上記に加え、テキストメッセージも設定することができる。
また、贈呈側は、「広告を設置」の機能を利用することで、企業オリジナルのバナーおよびリンクを設定することができる。
【００８５】
また、例えば、「対象者」の項目の２行目には、「受贈側」（つまり、ギフトを貰う人）と表示されている。つまり当該一行に対応する、対象者が「受贈側」（例えば、本サービスを利用する受贈者や株主）であることを示している。
これに対して、「機能」の項目の２行目には「メッセージ」と表示されている。つまり、ギフトを貰う側は、情報発信に関連してメッセージの機能を利用することができることを示している。
具体的には、受贈側は、「メッセージ」の機能を利用することで、贈呈側に例えばお礼のメッセージを残すことができる。
【００８６】
以上本発明の一実施形態について説明したが、本発明は、上述の実施形態に限定されるものではなく、本発明の目的を達成できる範囲での変形、改良等は本発明に含まれるものである。
【００８７】
また例えば、本サービスは、サーバ１により管理されるウェブサイトを介して提供されるものとしたが、本サービスは、贈り手端末２や貰い手端末３にインストールされるアプリケーションソフトウェア（プログラム）を介して提供されるものとしてもよい。具体的には、ギフトを貰う人は、貰い手端末３を介して、サーバ１にアクセスすることで所定のアプリケーションソフトウェアをダウンロードし、貰い手端末３にインストールすることができる。そして、ギフトを貰う人は、このアプリケーションソフトウェアを起動させることで、当該アプリケーションソフトウェア上で本サービスを利用することができる。
【００８８】
また例えば、上述した一連の処理は、ハードウェアにより実行させることもできるし、ソフトウェアにより実行させることもできる。
換言すると、図３の機能的構成は例示に過ぎず、特に限定されない。
即ち、上述した一連の処理を全体として実行できる機能が情報処理システムに備えられていれば足り、この機能を実現するためにどのような機能ブロックを用いるのかは特に図３の例に限定されない。また、機能ブロックの存在場所も、図３に特に限定されず、任意でよい。
また、１つの機能ブロックは、ハードウェア単体で構成してもよいし、ソフトウェア単体で構成してもよいし、それらの組み合わせで構成してもよい。
【００８９】
また例えば、一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであっても良い。
また、コンピュータは、各種のプログラムをインストールすることで、各種の機能を実行することが可能なコンピュータ、例えばサーバの他、スマートフォンやパーソナルコンピュータ、又は各種デバイス等であってもよい。
【００９０】
また例えば、このようなプログラムを含む記録媒体は、ギフトを贈る人、ギフトを貰う人及び商品提供者にプログラムを提供するために装置本体とは別に配布される図示せぬリムーバブルメディアにより構成されるだけでなく、装置本体に予め組み込まれた状態でユーザに提供される記録媒体等で構成される。
【００９１】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【００９２】
以上を換言すると、本発明が適用される情報処理システムは、次のような構成を有する各種各様の実施形態を取ることができる。
即ち、本発明が適用される情報処理システムは、
ギフトを貰う権利を有することを示す情報（ギフトコード）毎に独立して、コンテンツを対応付ける対応付手段（図３の対応付け部１２２）と、
ギフトを貰う権利を有することを示す前記情報を提示した提示者（「ギフトを貰う人」）により操作される所定の端末がアクセスしたときに、当該ギフトを譲渡することに関する処理の実行をするためのウェブサイト、又は、当該提示者の端末が前記処理の実行をするためのアプリケーションソフトウェアを管理する管理手段（例えば、図３のＷｅｂ管理部１０７）と、
を備え、
前記管理手段は、前記提示者により提示された前記情報に対応付けられた前記コンテンツを、前記ウェブサイト又は前記アプリケーションソフトウェアで再生する制御の管理をする、
構成を備えれば足りる。
これにより、ギフトを貰う人がギフトを貰う処理を行う際に、当該ギフトに対して設定されたコンテンツが再生されることになる。つまり、本サービスの提供者は、ギフトを譲渡する機会を利用して、ギフトを贈る人からギフトを貰う人に対してコンテンツの再生（情報発信）の機会を提供することができる。
【００９３】
また、前記対応付手段は、さらに、ギフトを貰う権利を有することを示す前記情報毎に独立して、選択可能なギフトを対応付ける、ことができる。
これにより、本サービスの提供者は、ギフトを貰う人毎に、選択可能なギフトを変更することができる。
【符号の説明】
【００９４】
１・・・サーバ、２・・・贈り手端末、３・・・貰い手端末、４・・・商品提供者端末、２１・・・ＣＰＵ、６１・・・申込受付部、６２・・・申込送信制御部、６３・・・コンテンツ受付部、６４・・・コンテンツ送信制御部、１０１・・・申込取得部、１０２・・・コード管理部、１０３・・・コンテンツ取得部、１０４・・・コンテンツ管理部、１０５・・・コード取得部、１０６・・・商品選択取得部、１０７・・・Ｗｅｂ管理部、１２１・・・コンテンツ再生部、１２２・・・対応付け部、２０１・・・コード受付部、２０２・・・コード送信制御部、２０３・・・商品選択受付部、２０４・・・商品選択送信制御部、２０５・・・商品等情報取得部、２０６・・・Ｗｅｂ取得部、２０７・・・表示制御部
【図１】
2018101388.tif 000003
【図２】
2018101388.tif 000004
【図３】
2018101388.tif 000005
【図４】
2018101388.tif 000006
【図５】
2018101388.tif 000007
【図６】
2018101388.tif 000008
【図７】
2018101388.tif 000009